(57)【要約】      （修正有）【課題】経時的に収納した化粧料が蒸発を防止し、キャップの着脱時に発生する収納した化粧料の飛散を同時に解決した化粧料容器の提供である。【解決手段】口部１ａを有するとともに内部に化粧料を収納する容器本体１と、先端に塗布体２ｂが取り付けられた軸２ａを有し、この軸２ａが容器本体内に挿入されながら閉塞するキャップ２と、容器本体１の口部１ａにキャップ２を外すときに軸２ａが挿通される際、軸２ａの周囲に付着した化粧料を掻き落すしごき体を備えてなるしごき栓３とを有する化粧料容器において、しごき栓３のしごき体の筒状部先端部に逆止弁３ａを施す。【選択図】図１
2006280669.tif 000002
【特許請求の範囲】
【請求項１】
口部を有するとともに内部に化粧料を収納する容器本体と、先端に塗布体が取り付けられた軸を有し、この軸が前記容器本体内に挿入されながら閉塞するキャップと、前記容器本体の口部に前記キャップを外すときに前記軸が挿通される際、軸の周囲に付着した化粧料を掻き落すしごき体を備えてなるしごき栓とを有する化粧料容器において、前記しごき栓のしごき体に逆止弁を施したことを特徴とする化粧料容器。
【請求項２】
前記しごき体の逆止弁形状が円形又楕円形であることを特徴とする請求項1記載の化粧料容器。
【請求項３】
前記しごき体の逆止弁としごき体の接着部分の長さが、当該しごき体筒状部先端の接着部の外周に対して、１／５〜１／２０であることを特徴とする請求項１〜請求項２記載の化粧料容器。
【発明の詳細な説明】
【技術分野】
【０００１】
本発明は、化粧料容器に関し、特に、アイライン、マスカラ等の液状化粧料を収納する容器に関する。
【背景技術】
【０００２】
従来、アイライン、マスカラ等の液状化粧料に使用される容器において、化粧料を収納する容器本体と先端に塗布体が取り付けられた軸を有し、この軸が容器本体に挿入されながら閉塞するキャップと、前記容器本体の口部に前記キャップを外すときに前記軸が挿通される際、軸の周囲に付着した化粧料を掻き落すしごき栓を備えてなる化粧料が一般的に用いられている。
【０００３】
また、近年、収納化粧料するアイラインやマスカラ等の性状特性が多様化し、速乾性や繊維状の組成を含有させたタイプの化粧料が開発されている。このような化粧料の特性に対応した容器の検討もなされている。例えば、しごき栓に備えてあるしごき体と軸の接着を強くしたり、しごき栓の材質により機密性を向上させる等である。しかし、しごき体と軸との接着強度を増すとキャップの着脱時に化粧料の噴出しや飛散が発生したり、軸が容器本体から抜け難い等、使用性が悪くなるという問題点が発生している。
【０００４】
そこで、上記のような問題点を解決するための検討もなされている。（特開２０００−２３２９１５号公報）
【０００５】
しかしながら、使用開始後、経時的に収納した化粧料が蒸発し、変性するという問題点とキャップの着脱時に発生する収納した化粧料の飛散という問題点を同時に解決する容器は存在しない。
【特許文献１】特開２０００−２３２９１５号号公報
【発明の開示】
【発明が解決しようとする課題】
【０００６】
解決しようとする課題は、経時的に収納した化粧料の蒸発を防止し、キャップの着脱時に発生する収納した化粧料の飛散を同時に解決した化粧料容器の提供である。
【課題を解決するための手段】
【０００７】
上記課題を解決するため、発明者は鋭意研究を重ねた結果、しごき体のしごき部先端に逆止弁を施したしごき栓を備えることで、化粧料の飛散や収納した化粧料の蒸発を防止することを見出し、本発明を完成するに至った。
【０００８】
即ち、本発明の化粧料容器は、口部を有するとともに内部に化粧料を収納する容器本体と、先端に塗布体が取り付けられた軸を有し、この軸が前記容器本体内に挿入されながら閉塞するキャップと、前記容器本体の口部に前記キャップを外すときに前記軸が挿通される際、軸の周囲に付着した化粧料を掻き落すしごき体を備えてなるしごき栓とを有する化粧料容器において、前記しごき栓のしごき体の筒状部先端部に逆止弁を施したことを特徴とする化粧料容器である。
【発明の効果】
【０００９】
本発明の化粧料容器は、しごき栓のしごき体の筒状部先端部施した逆止弁により、使用開始から使用終了まで収納した化粧料を経時的な変質が無く、清浄な状態で好適に使用することを可能とした。
【発明を実施するための最良の形態】
【００１０】
本発明のしごき栓は、柔軟性を有する材質であれば特に制限はないが、成形性に優れた樹脂化合物が好ましく、中でも、ポリエチレン（ＰＥ）やポリプロピレン（ＰＰ）が好ましい。また、本発明のしごき栓のしごき体の筒状部先端部施した逆止弁の形状は、軸を備えたキャップを容器本体から取り外したときに、当該しごき体の先端部を覆う形状であれば特に制限はないが、容器本体及びキャップに備えられた軸の形状から円形又は楕円形が好ましい。
【００１１】
本発明のしごき栓のしごき体の先端部施した逆止弁と当該しごき体の先端部の接着部分の長さは、当該逆止弁が有効に作動し、収納された化粧料の使用等に差支えなければ特に制限はないが、当該しごき体筒状部先端の接着部の外周に対して、１／５〜１／２０の範囲で接着していることが好ましい。また、接着の方法についても特に逆止弁の効果が有効に働く範囲であれば、特に制限はなく、一体成型が好ましい。
【実施例】
【００１２】
以下、実施例を挙げて本発明を具体的に説明する。なお、本発明はこれに限定されるものではない。
【００１３】
本実施の形態における化粧料容器は、図１に示されるように、口部1ａを有するとともに内部に化粧料を収納する容器本体１と、先端に塗布体２ｂが取り付けられた軸２ａを有し、この軸が前記容器本体内１に挿入されながら閉塞するキャップ２と、前記容器本体１の口部１ａに前記キャップ２を外すときに前記軸２ａが挿通される際、軸２ａの周囲に付着した化粧料を掻き落すしごき体を備えてなるしごき栓３とを有する化粧料容器において、前記しごき体に逆止弁３ａを施したしごき栓３から構成される。
【００１４】
図２には、本発明に使用することができる先端に塗布体２ｂが取り付けられた軸２ａを有したキャップの断面図を示す。
【００１５】
図３には、本発明の本体容器１に化粧料を掻き落すしごき体を備えてなるしごき栓３を装着した状態の断面図を示す。この場合、キャップ２に取り付けられた軸２ａが無く、キャップを本体容器から取り外した状態と同様の状態になり、逆止弁３ａがしごき体筒状部先端の外周部に密着した状態になる。
【００１６】
図４には、従来のしごき体３ｃを備えてなるしごき栓３を本発明の本体容器１に装着した状態の断面図を示す。
【００１７】
図５には、本発明の逆止弁３ａを施したしごき体３ｃを備えてなるしごき栓３を本発明の本体容器１に装着した状態の断面図を示す。
【００１８】
本発明の化粧料容器は、収納された化粧料を使用する際は、キャップを回転させながら、本体容器から取り外して、キャップに取り付けられた軸２ａの先端にある塗布体２ｂに付着した化粧料を付着させたい部位に塗布し使用する。
【００１９】
そして、キャップ２を本体容器1から着脱する際、軸２ａの周囲に付着した化粧料がしごき体３ｃにより、軸２ａの周囲又は塗布体２ｂに付着した化粧料が掻き落されるが、本発明の逆止弁３ａを施したしごき体３ｃを備えてなるしごき栓３により、化粧料の飛散が防止され、いつまでも清浄な状態で使用が可能となる。
【００２０】
また、化粧料の塗布中にキャップ２を容器本体から取り外した状態が長時間継続しても、逆止弁３ａがしごき体３ｃの先端を覆うように密着し、容器本体１をしごき体３ｃのところで、蓋をし、化粧料を密閉保管する。このことにより、収納された化粧料は蒸発することなく性状及び品質が一定に保たれる。そして、その状態で容器本体が転倒しても密封状態が維持され、収納された化粧料が容器本体１から漏出することはない。
【００２１】
逆止弁３ａを施したしごき体３ｃを備えてなるしごき栓３を装着した本発明の化粧料容器は、塗布体２ｂの材質と形状が変化しても、その形態に応じた形状や性質を選択することで、好適の状態で収納した化粧料を塗布体２ｂに付着させることができるので、簡単に化粧が施せる。また、当該しごき栓３に施した切欠き部３ｄが容器本体１との嵌合を強固にするため、収納する化粧料に粘性等が存在してもしごき栓３がキャップ２の着脱時に容器本体１より抜け落ちることはない。
【００２２】
即ち、逆止弁３ａを施したしごき体３ｃを備えてなるしごき栓３を装着した本発明の化粧料容器は、キャップの着脱が円滑におこなわれ、しかも、着脱時の化粧料の飛散も無く、化粧料容器として使用性を十分に満足するものである。
【産業上の利用可能性】
【００２３】
本発明は、アイラインやマスカラ等の化粧料容器として広く利用が期待できるものである。
【図面の簡単な説明】
【００２４】
【図１】本発明の化粧料容器を示す断面図。
【図２】本発明のキャップを示す断面図。
【図３】本発明の本体容器を示す断面図。
【図４】従来のしごき体を備えてなるしごき栓を本発明の本体容器に装着した状態の断面図。
【図５】本発明の逆止弁を施したしごき体を備えてなるしごき栓を本発明の本体容器に装着した状態の断面図。
【符号の説明】
【００２５】
１        容器本体
１ａ      口部
２        キャップ
２ａ      軸
２ｂ      塗布体
３        しごき栓
３ａ      逆止弁
３ｂ      筒状部
３ｃ      しごき体
３ｄ      切欠き部
【図１】
2006280669.tif 000003
【図２】
2006280669.tif 000004
【図３】
2006280669.tif 000005
【図４】
2006280669.tif 000006
【図５】
2006280669.tif 000007